(57)【要約】【課題】  様々な条件に対するウェブページ開発の工数を抑制し、且つ様々な条件に対して汎用性の高い表示システム、および表示器を提供する。【解決手段】  サイズの異なる複数の同一フレーム画面のデータを記憶したフレーム記憶部２ｄと、サイズの異なる複数の同一コンテンツ画面のデータを記憶したコンテンツ記憶部２ｅと、画面構成情報を設定する設定部２ｆと、画面構成情報とフレーム画面およびコンテンツ画面の各サイズとの対応関係を記憶した対応関係記憶部２ｇと、設定された画面構成情報に対応するフレーム画面のサイズおよびコンテンツ画面のサイズを選択するサイズ選択部２ｈと、選択されたサイズのフレーム画面に選択されたサイズのコンテンツ画面を重ね合わせてウェブページを作成する表示制御部２ｉとを備え、表示器２は、表示制御部２ｉが作成したウェブページをウェブブラウザ手段によって表示画面２ｃに表示する。【選択図】図１
2010097496.tif 000002
【特許請求の範囲】
【請求項１】
ウェブページを表示画面に表示する表示器を具備する表示システムにおいて、
ウェブページは、全ウェブページに共通の枠組み部分となるフレーム画面と、フレーム画面内の予め定められた位置に設けられた１乃至複数のスロット部に配置されて、各ウェブページの内容を表すコンテンツ画面とで構成されており、
サイズの異なる複数の同一フレーム画面のデータを記憶したフレーム記憶手段と、
サイズの異なる複数の同一コンテンツ画面のデータを記憶したコンテンツ記憶手段と、
ウェブページの作成条件である画面構成情報を設定する設定手段と、
画面構成情報とフレーム画面のサイズ、コンテンツ画面のサイズとの対応関係を記憶した対応関係記憶手段と、
対応関係記憶手段を参照して、設定手段で設定された画面構成情報に対応するフレーム画面のサイズおよびコンテンツ画面のサイズを選択するサイズ選択手段と、
選択されたサイズのフレーム画面に選択されたサイズのコンテンツ画面を重ね合わせてウェブページを作成する表示制御手段とを備え、
表示器は、表示制御手段が作成したウェブページをウェブブラウザ手段によって表示画面に表示する
ことを特徴とする表示システム。
【請求項２】
前記画面構成情報は、表示画面の解像度であることを特徴とする請求項１記載の表示システム。
【請求項３】
前記フレーム記憶手段は、前記スロット部の数が異なる複数の同一フレーム画面のデータをサイズ毎に記憶し、
前記画面構成情報は、フレーム画面内に設けられたスロット部の数を含み、
前記対応関係記憶手段は、画面構成情報とフレーム画面のサイズ、コンテンツ画面のサイズ、フレーム画面内に設けられたスロット部の数との対応関係を記憶し、
前記サイズ選択手段は、対応関係記憶手段を参照して、前記設定手段で設定された画面構成情報に対応するフレーム画面のサイズおよびスロット部の数と、コンテンツ画面のサイズとを選択し、
前記表示制御手段は、選択されたサイズおよびスロット部の数のフレーム画面に、選択されたサイズのコンテンツ画面を重ね合わせてウェブページを作成する
ことを特徴とする請求項１または２記載の表示システム。
【請求項４】
前記フレーム記憶手段は、前記スロット部の数が異なる複数の同一フレーム画面のデータをサイズ毎に記憶し、
前記画面構成情報は、ユーザに関する情報を含み、
前記対応関係記憶手段は、画面構成情報とフレーム画面のサイズ、コンテンツ画面のサイズ、フレーム画面内に設けられたスロット部の数との対応関係を記憶し、
前記サイズ選択手段は、対応関係記憶手段を参照して、前記設定手段で設定された画面構成情報に対応するフレーム画面のサイズおよびスロット部の数と、コンテンツ画面のサイズとを選択し、
前記表示制御手段は、選択されたサイズおよびスロット部の数のフレーム画面に、選択されたサイズのコンテンツ画面を重ね合わせてウェブページを作成する
ことを特徴とする請求項１または２記載の表示システム。
【請求項５】
所定の機能を有する１乃至複数の設備端末と、各設備端末の監視または制御の少なくとも一方を行う監視・制御手段とを備えて、前記表示制御手段は、監視・制御手段の監視・制御を行うウェブページを作成し、前記コンテンツ画面は、前記表示器が監視・制御手段との間で通信を行って、監視・制御手段から各設備端末の監視結果を取得するための画面、または前記表示器が監視・制御手段との間で通信を行って、監視・制御手段へ各設備端末の制御指示を行うための画面であり、
前記フレーム記憶手段は、前記スロット部の数が異なる複数の同一フレーム画面のデータをサイズ毎に記憶し、
前記画面構成情報は、設備端末の数を含み、
前記対応関係記憶手段は、画面構成情報とフレーム画面のサイズ、コンテンツ画面のサイズ、フレーム画面内に設けられたスロット部の数との対応関係を記憶し、
前記サイズ選択手段は、対応関係記憶手段を参照して、前記設定手段で設定された画面構成情報に対応するフレーム画面のサイズおよびスロット部の数と、コンテンツ画面のサイズとを選択し、
前記表示制御手段は、選択されたサイズおよびスロット部の数のフレーム画面に、選択されたサイズのコンテンツ画面を重ね合わせてウェブページを作成する
ことを特徴とする請求項１または２記載の表示システム。
【請求項６】
所定の機能を有する１乃至複数の設備端末と、各設備端末の監視または制御の少なくとも一方を行う監視・制御手段とを備えて、前記表示制御手段は、監視・制御手段の監視・制御を行うウェブページを作成し、前記コンテンツ画面は、前記表示器が監視・制御手段との間で通信を行って、監視・制御手段から各設備端末の監視結果を取得するための画面、または前記表示器が監視・制御手段との間で通信を行って、監視・制御手段へ各設備端末の制御指示を行うための画面であり、
前記フレーム記憶手段は、前記スロット部の数が異なる複数の同一フレーム画面のデータをサイズ毎に記憶し、
前記画面構成情報は、表示器と監視・制御手段との間で行われる通信の形態情報を含み、
前記対応関係記憶手段は、画面構成情報とフレーム画面のサイズ、コンテンツ画面のサイズ、フレーム画面内に設けられたスロット部の数との対応関係を記憶し、
前記サイズ選択手段は、対応関係記憶手段を参照して、前記設定手段で設定された画面構成情報に対応するフレーム画面のサイズおよびスロット部の数と、コンテンツ画面のサイズとを選択し、
前記表示制御手段は、選択されたサイズおよびスロット部の数のフレーム画面に、選択されたサイズのコンテンツ画面を重ね合わせてウェブページを作成する
ことを特徴とする請求項１または２記載の表示システム。
【請求項７】
前記フレーム記憶手段は、前記スロット部の数が異なる複数の同一フレーム画面のデータをサイズ毎に記憶し、
前記画面構成情報は、ウェブページで使用する言語情報を含み、
前記対応関係記憶手段は、画面構成情報とフレーム画面のサイズ、コンテンツ画面のサイズ、フレーム画面内に設けられたスロット部の数との対応関係を記憶し、
前記サイズ選択手段は、対応関係記憶手段を参照して、前記設定手段で設定された画面構成情報に対応するフレーム画面のサイズおよびスロット部の数と、コンテンツ画面のサイズとを選択し、
前記表示制御手段は、選択されたサイズおよびスロット部の数のフレーム画面に、選択されたサイズのコンテンツ画面を重ね合わせてウェブページを作成する
ことを特徴とする請求項１または２記載の表示システム。
【請求項８】
ウェブページを表示画面に表示する表示器において、
ウェブページは、全ウェブページに共通の枠組み部分となるフレーム画面と、フレーム画面内の予め定められた位置に設けられた１乃至複数のスロット部に配置されて、各ウェブページの内容を表すコンテンツ画面とで構成されており、
サイズの異なる複数の同一フレーム画面のデータを記憶したフレーム記憶手段と、
サイズの異なる複数の同一コンテンツ画面のデータを記憶したコンテンツ記憶手段と、
ウェブページの作成条件である画面構成情報を設定する設定手段と、
画面構成情報とフレーム画面のサイズ、コンテンツ画面のサイズとの対応関係を記憶した対応関係記憶手段と、
対応関係記憶手段を参照して、設定手段で設定された画面構成情報に対応するフレーム画面のサイズおよびコンテンツ画面のサイズを選択するサイズ選択手段と、
選択されたサイズのフレーム画面に選択されたサイズのコンテンツ画面を重ね合わせてウェブページを作成し、当該作成したウェブページをウェブブラウザ手段によって表示画面に表示する表示制御手段と
を備えることを特徴とする表示器。
【発明の詳細な説明】
【技術分野】
【０００１】
本発明は、ウェブページを表示する表示システム、および表示器に関するものである。
【背景技術】
【０００２】
ネットワーク経由で取得したウェブページを表示画面に表示する表示器があり、表示したウェブページ上でＧＵＩ（Graphical User Interface）を用いた操作を行うことで、ネットワーク経由で情報授受が可能となっている（例えば、特許文献１参照）。
【０００３】
例えば、住宅内に設置された設備端末、例えば、エアコンや照明器具あるいは種々のセキュリティ機器などの監視をネットワーク経由で行う住宅設備監視システムでは、設備端末の監視（あるいは、監視と制御）に関わる情報（例えば、エアコンや照明器具の動作状態およびオン・オフ制御、セキュリティ機器である火災感知器の動作状態など）をウェブページで作成しており、このウェブページを表示器の表示画面（ＣＲＴやＬＣＤ）に表示し、ウェブページ上のＧＵＩを用いた操作によって、監視結果の認識や、設備端末への制御指示を可能にしている。
【０００４】
一般にウェブページは、図１３（ａ）に示すように、ウェブページの枠組み部分となるフレーム部Ｇ１１と、フレーム部Ｇ１１内の予め定められた位置に配置されるコンテンツ部Ｇ１２とで構成されており、コンテンツ部Ｇ１２は、ウェブページの内容を示す。図１３（ａ）は住宅設備監視システムで表示されるウェブページの一例であり、フレーム部Ｇ１１は、タイトル表示Ｈ１０１と、前ページ、次ページ、メニューへの各遷移操作を行うボタンＢ１０１とで構成されている。コンテンツ部Ｇ１２は、設備端末の監視と制御に関わる情報を設備端末毎に表示するものであり、各コンテンツ部Ｇ１２は、例えば設備端末（照明器具等）の端末名Ｈ１０２、設備端末のオン・オフ状態（照明器具であれば点灯・消灯状態）の監視結果である現在値表示Ｈ１０３、設備端末に対してオン・オフ（照明器具であれば点灯・消灯）の制御指示を行う制御ボタンＢ１０２等の各種コンテンツを含んで構成されており、各コンテンツ部Ｇ１２は、１台の設備端末に対応している。図１３（ａ）では、ウェブページ上に６個のコンテンツ部Ｇ１２を配置することができ、コンテンツ部Ｇ１２を配置する各領域をスロット部と称す。すなわち、図１３（ａ）では、スロット部が６個設定されており、ウェブページ上には、６台の設備端末の監視制御情報が表示されている。
【特許文献１】特開２００７−２７２８６３号公報
【発明の開示】
【発明が解決しようとする課題】
【０００５】
上記従来のウェブページ上のＧＵＩ開発では、表示器の表示画面の解像度に合わせてスロット部の数（スロット数）を設定しており、解像度の異なる表示画面毎にウェブページを個別に開発する必要があった（なお、これらの情報は、開発したＧＵＩ毎にＨＴＭＬベースで記述されている）。
【０００６】
図１３（ａ）のウェブページは、横サイズａ１＝６４０ｐｘ（ピクセル）×縦サイズｂ１＝４８０ｐｘ（ピクセル）の解像度を有するＶＧＡの表示画面に表示され、スロット数＝６、フレーム部Ｇ１１のタイトル表示Ｈ１０１の文字サイズは１０ｐｔ（ポイント）、ボタンＢ１０１の横サイズｃ１＝１２０ｐｘに設定され、コンテンツ部Ｇ１２の縦サイズｄ１＝１４０ｐｘ、制御ボタンＢ１０２内の文字サイズは１１ｐｔに設定されている。
【０００７】
一方、図１３（ｂ）では、ＶＧＡで表示された図１３（ａ）と同様のウェブページを、横サイズａ２＝３２０ｐｘ×縦サイズｂ２＝２４０ｐｘの解像度を有するＱＶＧＡの表示画面に表示しており、スロット数＝３、フレーム部Ｇ１１のタイトル表示Ｈ１０１の文字サイズは１０ｐｔ、ボタンＢ１０１の横サイズｃ２＝１００ｐｘに設定され、コンテンツ部Ｇ１２の縦サイズｄ２＝１４０ｐｘ、制御ボタンＢ１０２内の文字サイズは１１ｐｔに設定されている。
【０００８】
このように、同じウェブページを解像度の異なる表示画面（ＶＧＡとＱＶＧＡ）で作成する場合、スロット数や、各部のサイズや、文字サイズが互いに異なるため、従来は同じウェブページをＶＧＡ用とＱＶＧＡ用とで個別に開発していた。
【０００９】
また、フレーム部Ｇ１１とコンテンツ部Ｇ１２とを分割するという概念はなく、フレーム部Ｇ１１とコンテンツ部Ｇ１２とを１つのウェブページにまとめてＨＴＭＬコードを記述しなければならないため、解像度の異なる表示画面に対して汎用性の乏しいものであった。
【００１０】
さらには、表示画面の解像度だけでなく、ユーザの年齢、視力等や、表示器に接続される設備端末の台数に応じて、使い易いウェブページを作成することが求められている。
【００１１】
このように、表示画面の解像度や、ユーザの年齢、視力等や、表示器に接続される設備端末の台数等の条件が変わる毎にウェブページを個別に開発する必要があるので、条件が多いほどウェブページ開発の工数が増大し、さらには完成したウェブページは汎用性の乏しいものであった。
【００１２】
本発明は、上記事由に鑑みてなされたものであり、その目的は、様々な条件に対するウェブページ開発の工数を抑制し、且つ様々な条件に対して汎用性の高い表示システム、および表示器を提供することにある。
【課題を解決するための手段】
【００１３】
請求項１の発明は、ウェブページを表示画面に表示する表示器を具備する表示システムにおいて、ウェブページは、全ウェブページに共通の枠組み部分となるフレーム画面と、フレーム画面内の予め定められた位置に設けられた１乃至複数のスロット部に配置されて、各ウェブページの内容を表すコンテンツ画面とで構成されており、サイズの異なる複数の同一フレーム画面のデータを記憶したフレーム記憶手段と、サイズの異なる複数の同一コンテンツ画面のデータを記憶したコンテンツ記憶手段と、ウェブページの作成条件である画面構成情報を設定する設定手段と、画面構成情報とフレーム画面のサイズ、コンテンツ画面のサイズとの対応関係を記憶した対応関係記憶手段と、対応関係記憶手段を参照して、設定手段で設定された画面構成情報に対応するフレーム画面のサイズおよびコンテンツ画面のサイズを選択するサイズ選択手段と、選択されたサイズのフレーム画面に選択されたサイズのコンテンツ画面を重ね合わせてウェブページを作成する表示制御手段とを備え、表示器は、表示制御手段が作成したウェブページをウェブブラウザ手段によって表示画面に表示することを特徴とする。
【００１４】
この発明によれば、フレーム画面とコンテンツ画面とを分割し、画面構成情報に応じて、フレーム画面およびコンテンツ画面の各サイズを個別に動的に変化させて、フレーム画面とコンテンツ画面とを組み合わせるので、「コードの使いまわし」という観点から画面データの汎用性が高くなり、フレーム画面やコンテンツ画面のコーティング作業等に必要な開発工数を最小限に抑えることができる。すなわち、様々な条件に対するウェブページ開発の工数を抑制し、且つ様々な条件に対して汎用性の高い表示システムを提供することができる。
【００１５】
請求項２の発明は、請求項１において、前記画面構成情報は、表示画面の解像度であることを特徴とする。
【００１６】
この発明によれば、フレーム画面とコンテンツ画面とを分割し、表示画面の解像度に応じて、フレーム画面およびコンテンツ画面の各サイズを個別に動的に変化させることができる。したがって、様々な表示画面の解像度に対するウェブページ開発の工数を抑制し、且つ様々な表示画面の解像度に対して汎用性の高い表示システムを提供することができる。
【００１７】
請求項３の発明は、請求項１または２において、前記フレーム記憶手段は、前記スロット部の数が異なる複数の同一フレーム画面のデータをサイズ毎に記憶し、前記画面構成情報は、フレーム画面内に設けられたスロット部の数を含み、前記対応関係記憶手段は、画面構成情報とフレーム画面のサイズ、コンテンツ画面のサイズ、フレーム画面内に設けられたスロット部の数との対応関係を記憶し、前記サイズ選択手段は、対応関係記憶手段を参照して、前記設定手段で設定された画面構成情報に対応するフレーム画面のサイズおよびスロット部の数と、コンテンツ画面のサイズとを選択し、前記表示制御手段は、選択されたサイズおよびスロット部の数のフレーム画面に、選択されたサイズのコンテンツ画面を重ね合わせてウェブページを作成することを特徴とする。
【００１８】
この発明によれば、フレーム画面とコンテンツ画面とを分割し、スロット数に応じて、フレーム画面およびコンテンツ画面の各サイズを個別に動的に変化させることができる。したがって、様々なスロット数に対するウェブページ開発の工数を抑制し、且つ様々なスロット数に対して汎用性の高い表示システムを提供することができる。
【００１９】
請求項４の発明は、請求項１または２において、前記フレーム記憶手段は、前記スロット部の数が異なる複数の同一フレーム画面のデータをサイズ毎に記憶し、前記画面構成情報は、ユーザに関する情報を含み、前記対応関係記憶手段は、画面構成情報とフレーム画面のサイズ、コンテンツ画面のサイズ、フレーム画面内に設けられたスロット部の数との対応関係を記憶し、前記サイズ選択手段は、対応関係記憶手段を参照して、前記設定手段で設定された画面構成情報に対応するフレーム画面のサイズおよびスロット部の数と、コンテンツ画面のサイズとを選択し、前記表示制御手段は、選択されたサイズおよびスロット部の数のフレーム画面に、選択されたサイズのコンテンツ画面を重ね合わせてウェブページを作成することを特徴とする。
【００２０】
この発明によれば、フレーム画面とコンテンツ画面とを分割し、ユーザ情報に応じて、フレーム画面およびコンテンツ画面の各サイズを個別に動的に変化させることができる。したがって、様々なユーザ情報に対するウェブページ開発の工数を抑制し、且つ様々なユーザ情報に対して汎用性の高い表示システムを提供することができる。
【００２１】
請求項５の発明は、請求項１または２において、所定の機能を有する１乃至複数の設備端末と、各設備端末の監視または制御の少なくとも一方を行う監視・制御手段とを備えて、前記表示制御手段は、監視・制御手段の監視・制御を行うウェブページを作成し、前記コンテンツ画面は、前記表示器が監視・制御手段との間で通信を行って、監視・制御手段から各設備端末の監視結果を取得するための画面、または前記表示器が監視・制御手段との間で通信を行って、監視・制御手段へ各設備端末の制御指示を行うための画面であり、前記フレーム記憶手段は、前記スロット部の数が異なる複数の同一フレーム画面のデータをサイズ毎に記憶し、前記画面構成情報は、設備端末の数を含み、前記対応関係記憶手段は、画面構成情報とフレーム画面のサイズ、コンテンツ画面のサイズ、フレーム画面内に設けられたスロット部の数との対応関係を記憶し、前記サイズ選択手段は、対応関係記憶手段を参照して、前記設定手段で設定された画面構成情報に対応するフレーム画面のサイズおよびスロット部の数と、コンテンツ画面のサイズとを選択し、前記表示制御手段は、選択されたサイズおよびスロット部の数のフレーム画面に、選択されたサイズのコンテンツ画面を重ね合わせてウェブページを作成することを特徴とする。
【００２２】
この発明によれば、フレーム画面とコンテンツ画面とを分割し、設備端末の数に応じて、フレーム画面およびコンテンツ画面の各サイズを個別に動的に変化させることができる。したがって、様々な設備端末の数に対するウェブページ開発の工数を抑制し、且つ様々な設備端末の数に対して汎用性の高い表示システムを提供することができる。
【００２３】
請求項６の発明は、請求項１または２において、所定の機能を有する１乃至複数の設備端末と、各設備端末の監視または制御の少なくとも一方を行う監視・制御手段とを備えて、前記表示制御手段は、監視・制御手段の監視・制御を行うウェブページを作成し、前記コンテンツ画面は、前記表示器が監視・制御手段との間で通信を行って、監視・制御手段から各設備端末の監視結果を取得するための画面、または前記表示器が監視・制御手段との間で通信を行って、監視・制御手段へ各設備端末の制御指示を行うための画面であり、前記フレーム記憶手段は、前記スロット部の数が異なる複数の同一フレーム画面のデータをサイズ毎に記憶し、前記画面構成情報は、表示器と監視・制御手段との間で行われる通信の形態情報を含み、前記対応関係記憶手段は、画面構成情報とフレーム画面のサイズ、コンテンツ画面のサイズ、フレーム画面内に設けられたスロット部の数との対応関係を記憶し、前記サイズ選択手段は、対応関係記憶手段を参照して、前記設定手段で設定された画面構成情報に対応するフレーム画面のサイズおよびスロット部の数と、コンテンツ画面のサイズとを選択し、前記表示制御手段は、選択されたサイズおよびスロット部の数のフレーム画面に、選択されたサイズのコンテンツ画面を重ね合わせてウェブページを作成することを特徴とする。
【００２４】
この発明によれば、フレーム画面とコンテンツ画面とを分割し、表示器と監視・制御手段との間で行われる通信の形態情報に応じて、フレーム画面およびコンテンツ画面の各サイズを個別に動的に変化させることができる。したがって、様々な通信形態に対するウェブページ開発の工数を抑制し、且つ様々な通信形態に対して汎用性の高い表示システムを提供することができる。
【００２５】
請求項７の発明は、請求項１または２において、前記フレーム記憶手段は、前記スロット部の数が異なる複数の同一フレーム画面のデータをサイズ毎に記憶し、前記画面構成情報は、ウェブページで使用する言語情報を含み、前記対応関係記憶手段は、画面構成情報とフレーム画面のサイズ、コンテンツ画面のサイズ、フレーム画面内に設けられたスロット部の数との対応関係を記憶し、前記サイズ選択手段は、対応関係記憶手段を参照して、前記設定手段で設定された画面構成情報に対応するフレーム画面のサイズおよびスロット部の数と、コンテンツ画面のサイズとを選択し、前記表示制御手段は、選択されたサイズおよびスロット部の数のフレーム画面に、選択されたサイズのコンテンツ画面を重ね合わせてウェブページを作成することを特徴とする。
【００２６】
この発明によれば、フレーム画面とコンテンツ画面とを分割し、ウェブページで使用する言語情報に応じて、フレーム画面およびコンテンツ画面の各サイズを個別に動的に変化させることができる。したがって、様々な言語に対するウェブページ開発の工数を抑制し、且つ様々な言語に対して汎用性の高い表示システムを提供することができる。
【００２７】
請求項８の発明は、ウェブページを表示画面に表示する表示器において、ウェブページは、全ウェブページに共通の枠組み部分となるフレーム画面と、フレーム画面内の予め定められた位置に設けられた１乃至複数のスロット部に配置されて、各ウェブページの内容を表すコンテンツ画面とで構成されており、サイズの異なる複数の同一フレーム画面のデータを記憶したフレーム記憶手段と、サイズの異なる複数の同一コンテンツ画面のデータを記憶したコンテンツ記憶手段と、ウェブページの作成条件である画面構成情報を設定する設定手段と、画面構成情報とフレーム画面のサイズ、コンテンツ画面のサイズとの対応関係を記憶した対応関係記憶手段と、対応関係記憶手段を参照して、設定手段で設定された画面構成情報に対応するフレーム画面のサイズおよびコンテンツ画面のサイズを選択するサイズ選択手段と、選択されたサイズのフレーム画面に選択されたサイズのコンテンツ画面を重ね合わせてウェブページを作成し、当該作成したウェブページをウェブブラウザ手段によって表示画面に表示する表示制御手段とを備えることを特徴とする。
【００２８】
この発明によれば、フレーム画面とコンテンツ画面とを分割し、画面構成情報に応じて、フレーム画面およびコンテンツ画面の各サイズを個別に動的に変化させて、フレーム画面とコンテンツ画面とを組み合わせるので、「コードの使いまわし」という観点から画面データの汎用性が高くなり、フレーム画面やコンテンツ画面のコーティング作業等に必要な開発工数を最小限に抑えることができる。すなわち、様々な条件に対するウェブページ開発の工数を抑制し、且つ様々な条件に対して汎用性の高い表示器を提供することができる。
【発明の効果】
【００２９】
以上説明したように、本発明では、様々な条件に対するウェブページ開発の工数を抑制し、且つ様々な条件に対して汎用性の高い表示システム、および表示器を提供することができるという効果がある。
【発明を実施するための最良の形態】
【００３０】
以下、本発明の実施の形態を図面に基づいて説明する。
【００３１】
（実施形態１）
図２は、本実施形態の表示システムを用いた住宅設備監視システムの全体構成を示しており、複数のコントローラ１（図２では２台のコントローラ１）と、１台の表示器２とが、Ethernet（登録商標）を用いた宅内ネットワークＮＴ１に接続され、コントローラ１の各配下には、照明器具、空調器具、防犯器具、計測器具、電気錠等の設備端末３が接続されている。さらに、宅内ネットワークＮＴ１はホームゲートウェイ４を介してインターネットを構築する広域網ＮＴ２に接続され、宅内ネットワークＮＴ１上の各端末装置（コントローラ１、表示装置２等）はホームゲートウェイ４を介して広域網ＮＴ２上のセンタサーバ５と通信を行うことができる。
【００３２】
そして、宅内ネットワークＮＴ１上の各端末装置（コントローラ１、表示装置２、ホームゲートウェイ４等）は機器識別情報（ＩＰアドレス）を割り付けられており、この機器識別情報を用いて互いに通信を行う。
【００３３】
ホームゲートウェイ４は、情報ブレーカを備えて宅内ネットワークＮＴ１に接続されるだけでなく、広域網ＮＴ２に接続される接続口を有する宅内サーバを構成し、広域網ＮＴ２に接続されたセンタサーバ５との間の通信と、宅内ネットワークＮＴ１を介した通信との両方の機能を備えて、宅内ネットワークＮＴ１と広域網ＮＴ２との間のプロトコル変換を行い、さらには宅内ネットワークＮＴ１の各端末装置に関する識別情報の取得機能を備える。
【００３４】
図１は、宅内ネットワークＮＴ１における各構成を示す。
【００３５】
まず、コントローラ１は、送受信部１ａと、監視制御部１ｂとを備えるネットリモコンやネットアダプタ等で構成され、監視制御部１ｂが、配下の設備端末３の監視制御を行っている。そして、送受信部１ａがＬＡＮ通信を行い、監視制御部１ｂは、表示器２からネットワークＮＴ１を介して監視制御要求を受け取ると、配下の設備端末３の各監視制御情報を、ホームゲートウェイ４経由で要求送信元の表示器２へ送信する。
【００３６】
そして、表示器２は、送受信部２ａと、操作部２ｂと、表示画面２ｃと、フレーム記憶部２ｄと、コンテンツ記憶部２ｅと、設定部２ｆと、対応関係記憶部２ｇと、サイズ選択部２ｈと、表示制御部２ｉとを備え、送受信部２ａが宅内ネットワークＮＴ１を介してＬＡＮ通信を行い、操作部２ｂがユーザによって操作されることによって、設備端末３の監視制御要求が、ホームゲートウェイ４経由で送信先のコントローラ１へ送信され、要求先のコントローラ１から配下の設備端末３の各監視制御情報を取得する。表示制御部２ｉは、宅内ネットワークＮＴ１経由で取得した設備端末３の各監視制御情報からウェブページを作成し、当該ウェブページをウェブブラウザによって表示画面２ｃに表示する。
【００３７】
以下、表示器２におけるウェブページの作成処理について説明する。
【００３８】
まず、本実施形態では、ウェブページの枠組み部分となり、ページを跨いで共通で使用されるフレーム画面Ｇ１と、フレーム画面Ｇ１内の予め定められた位置に配置されるコンテンツ画面Ｇ２とを分割しており、フレーム画面Ｇ１にコンテンツ画面Ｇ２を組み合わせることでウェブページが構成される。図３（ａ）は、フレーム画面Ｇ１の一例を示しており、フレーム画面Ｇ１は、タイトル表示Ｈ１と、前ページ、次ページ、メニューへの各遷移操作を行うボタンＢ１とで構成されている。
【００３９】
また図３（ｂ）は、コンテンツ画面Ｇ２の一例を示しており、コンテンツ画面Ｇ２は、設備端末３の監視と制御に関わる情報を設備端末３毎に表示するものであり、各コンテンツ画面Ｇ２は、例えば設備端末３の端末名表示Ｈ２、設備端末３のオン・オフ状態（照明器具であれば点灯・消灯状態）の監視結果である現在値表示Ｈ３、設備端末３に対してオン・オフ（照明器具であれば点灯・消灯）の制御指示を行う制御ボタンＢ２等の各種コンテンツを含んで構成されており、各コンテンツ画面Ｇ２は、１台の設備端末３に対応している。
【００４０】
図３（ａ）では、フレーム画面Ｇ１上に３個のコンテンツ画面Ｇ２を配置することができ、コンテンツ画面Ｇ２を配置する各領域をスロット部Ｘ１と称す。すなわち、図３（ａ）では、スロット部Ｘ１が３個設定されており、１つのウェブページ上には、３台の設備端末３の監視制御情報が表示できる。なお、制御指示を行う制御ボタンとしては、オン・オフの制御指示を行う機能以外に、スケジュール制御やタイマ制御の各機能を有するものでもよい。
【００４１】
そして、フレーム記憶部２ｄは、サイズの異なる複数の同一フレーム画面Ｇ１のデータを記憶しており、コンテンツ記憶部２ｅは、サイズの異なる複数の同一コンテンツ画面Ｇ２のデータを記憶している。すなわち、フレーム画面Ｇ１、コンテンツ画面Ｇ２ともに、同一画面のデータがサイズ違い（必要であれば、サイズの異なるフレーム画面Ｇ１は、スロット数も互いに異なる）で複数格納されているのである。また、フレーム画面Ｇ１、コンテンツ画面Ｇ２が、フレーム記憶部２ｄ、コンテンツ記憶部２ｅに格納される形式としては、ＨＴＭＬ、Ｊａｖａ（登録商標）Ｓｃｒｉｐｔ等の形式が用いられており、ＪＰＥＧやＧＩＦ等の画像データとして格納されているとは限らない。
【００４２】
図４は、ウェブページの作成処理の概略であり、表示画面２ｃは、所定の解像度（ＶＧＡ、ＱＶＧＡ等）で構成されており、設定部２ｆは、表示画面２ｃの解像度の情報を予め保持して画面構成情報として設定している（Ｓ１）。設定部２ｆによる解像度情報の設定は、ユーザの手動入力による方法と、表示器２に搭載されているウェブブラウザに関する情報（ユーザエージェント情報）を用いる方法とがある。ユーザエージェント情報には、ブラウザ種別（ＱＶＧＡ、ＶＧＡ等の解像度情報）、ブラウザＯＳ、ブラウザＯＳのバージョン等の情報が含まれた文字列情報であり、ウェブブラウザから自発的に送信されるのが一般的であるが、設定部２ｆから、ユーザエージェント情報の取得要求を送信することで、ウェブブラウザからユーザエージェント情報を取得することもできる。
【００４３】
そして、対応関係記憶部２ｇは、画面構成情報である解像度情報とフレーム画面Ｇ１のサイズ、フレーム画面Ｇ１内のスロット数、コンテンツ画面Ｇ２のサイズとの対応関係を対応テーブルＴＢ１に格納している。サイズ選択部２ｈは、設定部２ｆが設定した解像度情報に対応するフレーム画面Ｇ１のサイズ、フレーム画面Ｇ１内のスロット数、コンテンツ画面Ｇ２のサイズを選択する（Ｓ２）（Ｓ３）。ここでは、解像度：ＱＶＧＡとし、フレーム画面Ｇ１のサイズ：Ｂ、フレーム画面Ｇ１内のスロット数：３、コンテンツ画面Ｇ２のサイズ：ｂを選択する。
【００４４】
対応関係記憶部２ｇに格納されている対応テーブルＴＢ１には、表示画面２ｃの解像度情報（画面構成情報）として、図５に示すように、ＱＶＧＡ（横３２０ｐｘ×縦２４０ｐｘ）、Ｗｉｄｅ−ＱＶＧＡ（横４８０ｐｘ×縦３２０ｐｘ）、ＶＧＡ（横６４０ｐｘ×縦４８０ｐｘ）、ＸＧＡ（横１０２４ｐｘ×縦７６８ｐｘ）等が設定されており、基本的に、解像度が高いほどフレーム画面Ｇ１のサイズが大きくなり、スロット数も多くなる。
【００４５】
表示制御部２ｉは、選択されたサイズで選択されたスロット数を有するフレーム画面Ｇ１をフレーム記憶部２ｄから読み出し、さらに選択されたサイズのコンテンツ画面Ｇ２をコンテンツ記憶部２ｅから読み出し、読み出したフレーム画面Ｇ１のスロット部Ｘ１にコンテンツ画面Ｇ２を重ね合わせて（Ｓ４）、１つのウェブページを作成し、当該作成したウェブページをウェブブラウザによって表示画面２ｃに表示する（Ｓ５）。すなわち、図４では、サイズ：Ｂでスロット数：３のフレーム画面Ｇ１を読み出し、フレーム画面Ｇ１の３箇所のスロット部Ｘ１にサイズ：ｂのコンテンツ画面Ｇ２を各々重ね合わせている。
【００４６】
従来は、フレーム画面Ｇ１とコンテンツ画面Ｇ２とを一体にして画面開発を行っていたため、表示画面２ｃの解像度が異なる毎に、フレーム画面Ｇ１とコンテンツ画面Ｇ２との一体画面を開発する必要があり、開発工数がかかっていた。
【００４７】
しかし、本実施形態では、フレーム画面Ｇ１とコンテンツ画面Ｇ２とを分割し、表示画面２ｃの解像度に応じて、フレーム画面Ｇ１およびコンテンツ画面Ｇ２の各サイズを個別に動的に変化させて、フレーム画面Ｇ１とコンテンツ画面Ｇ２とを組み合わせるので、「コードの使いまわし」という観点から画面データの汎用性が高くなり、従来のようにフレーム部Ｇ１１とコンテンツ部Ｇ１２とを１つのウェブページにまとめてＨＴＭＬコードを記述する場合に比べて（図１３（ａ）（ｂ）参照）、フレーム画面Ｇ１やコンテンツ画面Ｇ２のコーティング作業等に必要な開発工数を最小限に抑えることができる。例えば、「ＱＶＧＡからＶＧＡへの解像度の変更であれば、フレーム画面Ｇ１のサイズは変更するが、コンテンツ画面Ｇ２のサイズは変更しない」等のように、場合によっては解像度の変更に伴うコンテンツ画面Ｇ２の新規開発が不要となり、既存のコンテンツ画面Ｇ２を流用することが可能となる。
【００４８】
（実施形態２）
本実施形態の表示システムの構成は、実施形態１と同様に図１，図２に示されるが、画面構成情報として、表示器２の表示画面２ｃの解像度情報に付加してフレーム画面Ｇ１のスロット数を用いる点が実施形態１と異なる。
【００４９】
まず、本実施形態のフレーム記憶部２ｄは、サイズの異なる複数の同一フレーム画面Ｇ１のデータを記憶しており、さらに同一サイズであってもスロット部の数が異なる複数の同一フレーム画面Ｇ１が用意されている。すなわち、スロット部の数が異なる複数の同一フレーム画面Ｇ１のデータをサイズ毎に記憶しているのである。
【００５０】
本実施形態の操作部２ｂは、画面構成情報としてフレーム画面Ｇ１のスロット数を入力する機能を有しており、設定部２ｆは、表示画面２ｃの解像度情報と、フレーム画面Ｇ１のスロット数とを画面構成情報として設定する。
【００５１】
本実施形態の表示器２の対応関係記憶部２ｇは、図６に示す対応テーブルＴＢ２を格納しており、対応テーブルＴＢ２には、画面構成情報の大分類として表示画面２ｃの解像度情報を設定し、さらに解像度情報毎にフレーム画面Ｇ１のスロット数を画面構成情報の小分類として設定している。そして、画面構成情報の小分類である各スロット数に、フレーム画面Ｇ１のサイズ、フレーム画面Ｇ１内のスロット数、コンテンツ画面Ｇ２のサイズを対応させている。
【００５２】
そして、サイズ選択部２ｈは、設定部２ｆが設定した解像度情報およびスロット数に対応するフレーム画面Ｇ１のサイズ、フレーム画面Ｇ１内のスロット数、コンテンツ画面Ｇ２のサイズを選択する。
【００５３】
表示制御部２ｉは、選択されたサイズで選択されたスロット数を有するフレーム画面Ｇ１をフレーム記憶部２ｄから読み出し、さらに選択されたサイズのコンテンツ画面Ｇ２をコンテンツ記憶部２ｅから読み出し、読み出したフレーム画面Ｇ１のスロット部Ｘ１にコンテンツ画面Ｇ２を重ね合わせて、１つのウェブページを作成し、当該作成したウェブページをウェブブラウザによって表示画面２ｃに表示する。
【００５４】
このように本実施形態では、フレーム画面Ｇ１とコンテンツ画面Ｇ２とを分割し、表示画面２ｃの解像度、およびフレーム画面Ｇ１内のスロット数に応じて、フレーム画面Ｇ１およびコンテンツ画面Ｇ２の各サイズを個別に動的に変化させて、フレーム画面Ｇ１とコンテンツ画面Ｇ２とを組み合わせるので、画面データの汎用性が高くなり、開発工数を最小限に抑えることができる。
【００５５】
（実施形態３）
本実施形態の表示システムの構成は、実施形態１と同様に図１，図２に示されるが、画面構成情報として、表示器２の表示画面２ｃの解像度情報に付加してユーザに関する情報（ユーザビリティ情報）を用いる点が実施形態１と異なる。
【００５６】
まず、本実施形態のフレーム記憶部２ｄは、サイズの異なる複数の同一フレーム画面Ｇ１のデータを記憶しており、さらに同一サイズであってもスロット部の数が異なる複数の同一フレーム画面Ｇ１が用意されている。すなわち、スロット部の数が異なる複数の同一フレーム画面Ｇ１のデータをサイズ毎に記憶しているのである。
【００５７】
本実施形態の操作部２ｂは、画面構成情報としてユーザビリティ情報を入力する機能を有しており、設定部２ｆは、表示画面２ｃの解像度情報と、ユーザビリティ情報とを画面構成情報として設定する。
【００５８】
本実施形態の表示器２の対応関係記憶部２ｇは、図７に示す対応テーブルＴＢ３を格納しており、対応テーブルＴＢ３には、画面構成情報の大分類として表示画面２ｃの解像度情報を設定し、さらに解像度情報毎にユーザビリティ情報を画面構成情報の小分類として設定している。ユーザビリティ情報は、ユーザの年齢、視力、指の大きさ等であり、本実施形態では、解像度情報：ＱＶＧＡに対してユーザの年齢を小分類として設定し、解像度情報：ＶＧＡに対してユーザの視力を小分類として設定し、さらに解像度情報：４８０ｐｘ×２７２ｐｘに対してユーザの指の大きさを小分類として設定している。
【００５９】
そして、画面構成情報の小分類である各ユーザビリティ情報に、フレーム画面Ｇ１のサイズ、フレーム画面Ｇ１内のスロット数、コンテンツ画面Ｇ２のサイズを対応させている。
【００６０】
具体的には、ユーザの年齢が高ければ、同一サイズのフレーム画面Ｇ１を用いる場合であってもスロット数を少なくし、コンテンツ画面Ｇ２のサイズを大きくすることで、高齢のユーザにとって見易いウェブページを作成している。また、ユーザの視力が悪ければ、同一サイズのフレーム画面Ｇ１を用いる場合であってもスロット数を少なくし、コンテンツ画面Ｇ２のサイズを大きくすることで、視力の悪いユーザにとって見易いウェブページを作成している。
【００６１】
さらに、表示画面２ｃを指で直接タッチして操作する形態のＧＵＩを採用した際には、ユーザの指が大きければ、同一サイズのフレーム画面Ｇ１を用いる場合であってもスロット数を少なくし、コンテンツ画面Ｇ２のサイズを大きくすることで、指の大きいユーザであっても、操作時の押し間違いを防止したウェブページを作成している。
【００６２】
このように、デフォルトの画面サイズでは閲覧／操作が困難なユーザに対しても、ユーザビリティ情報を設定することによって、使い易い表示システムを提供できる。
【００６３】
そして、サイズ選択部２ｈは、設定部２ｆが設定した解像度情報およびユーザビリティ情報に対応するフレーム画面Ｇ１のサイズ、フレーム画面Ｇ１内のスロット数、コンテンツ画面Ｇ２のサイズを選択する。
【００６４】
表示制御部２ｉは、選択されたサイズで選択されたスロット数を有するフレーム画面Ｇ１をフレーム記憶部２ｄから読み出し、さらに選択されたサイズのコンテンツ画面Ｇ２をコンテンツ記憶部２ｅから読み出し、読み出したフレーム画面Ｇ１のスロット部Ｘ１にコンテンツ画面Ｇ２を重ね合わせて、１つのウェブページを作成し、当該作成したウェブページをウェブブラウザによって表示画面２ｃに表示する。
【００６５】
このように本実施形態では、フレーム画面Ｇ１とコンテンツ画面Ｇ２とを分割し、表示画面２ｃの解像度、およびユーザビリティ情報に応じて、フレーム画面Ｇ１およびコンテンツ画面Ｇ２の各サイズや、スロット数を個別に動的に変化させて、フレーム画面Ｇ１とコンテンツ画面Ｇ２とを組み合わせるので、画面データの汎用性が高くなり、開発工数を最小限に抑えることができる。
【００６６】
（実施形態４）
本実施形態の表示システムの構成は、実施形態１と同様に図１，図２に示されるが、画面構成情報として、表示器２の表示画面２ｃの解像度情報に付加して、各コントローラ１に接続している設備端末３の台数（端末台数情報）を用いる点が実施形態１と異なる。
【００６７】
まず、本実施形態のフレーム記憶部２ｄは、サイズの異なる複数の同一フレーム画面Ｇ１のデータを記憶しており、さらに同一サイズであってもスロット部の数が異なる複数の同一フレーム画面Ｇ１が用意されている。すなわち、スロット部の数が異なる複数の同一フレーム画面Ｇ１のデータをサイズ毎に記憶しているのである。
【００６８】
従来、コントローラ１に接続している設備端末３の台数が多いと、表示器２が、このコントローラ１からの監視制御情報に基づいて作成したウェブページはページ数が多くなり、図８に示すように、表示画面２ｃ上で１ページから１０ページに遷移しようとすると、次ページボタンＢ１を押下する回数も多くなり、設備端末３の台数が多いほどページ遷移の操作が手間になっていた。
【００６９】
そこで、本実施形態の操作部２ｂは、画面構成情報として設備端末３の台数を入力する機能を有しており、設定部２ｆは、表示画面２ｃの解像度情報と、設備端末３の端末台数情報とを画面構成情報として設定する。
【００７０】
本実施形態の表示器２の対応関係記憶部２ｇは、図９に示す対応テーブルＴＢ４を格納しており、対応テーブルＴＢ４には、画面構成情報の大分類として表示画面２ｃの解像度情報を設定し、さらに解像度情報毎に設備端末３の端末台数情報を画面構成情報の小分類として設定している。そして、画面構成情報の小分類である端末台数情報に、フレーム画面Ｇ１のサイズ、フレーム画面Ｇ１内のスロット数、コンテンツ画面Ｇ２のサイズを対応させている。
【００７１】
具体的には、設備端末３の台数が多ければ、同一サイズのフレーム画面Ｇ１を用いる場合であってもスロット数を多くし、コンテンツ画面Ｇ２のサイズを小さくすることで、１つのウェブページ内により多くのコンテンツ画面Ｇ２を配置してページ数を少なくし、ページ遷移の操作の手間を低減している。
【００７２】
そして、サイズ選択部２ｈは、設定部２ｆが設定した解像度情報および端末台数情報に対応するフレーム画面Ｇ１のサイズ、フレーム画面Ｇ１内のスロット数、コンテンツ画面Ｇ２のサイズを選択する。
【００７３】
表示制御部２ｉは、選択されたサイズで選択されたスロット数を有するフレーム画面Ｇ１をフレーム記憶部２ｄから読み出し、さらに選択されたサイズのコンテンツ画面Ｇ２をコンテンツ記憶部２ｅから読み出し、読み出したフレーム画面Ｇ１のスロット部Ｘ１にコンテンツ画面Ｇ２を重ね合わせて、１つのウェブページを作成し、当該作成したウェブページをウェブブラウザによって表示画面２ｃに表示する。
【００７４】
このように本実施形態では、フレーム画面Ｇ１とコンテンツ画面Ｇ２とを分割し、表示画面２ｃの解像度、および設備端末３の台数に応じて、フレーム画面Ｇ１およびコンテンツ画面Ｇ２の各サイズや、スロット数を個別に動的に変化させて、フレーム画面Ｇ１とコンテンツ画面Ｇ２とを組み合わせるので、画面データの汎用性が高くなり、開発工数を最小限に抑えることができる。
【００７５】
また、各コントローラ１が、配下の設備端末３の状態を取得するユニバーサルプラグアンドプレイ（ＵＰｎＰ）機能を備えて、配下に接続された設備端末３の端末台数情報を生成し、各コントローラ１が生成した端末台数情報を宅内ネットワークＮＴ１経由でホームゲートウェイ４が取得することで、ホームゲートウェイ４が各コントローラ１の端末台数情報を保持していてもよい。この場合、ホームゲートウェイ４は、設備端末３の脱着毎にコントローラ１から端末台数情報を受け取って、端末台数情報を自動更新し、表示器２の設定部２ｆは、コントローラ１から端末台数情報を定期的または更新毎に取得する。したがって、ユーザが端末台数情報を手動設定する手間が省けて、ユーザにとって使い勝手がよいものとなる。
【００７６】
（実施形態５）
本実施形態の表示システムの構成は、実施形態１と同様に図１，図２に示されるが、画面構成情報として、表示器２の表示画面２ｃの解像度情報に付加して表示器２の送受信部２ａの通信形態に関する情報（通信形態情報）を用いる点が実施形態１と異なる。
【００７７】
図１、図２において、表示器２の送受信部２ａは宅内ネットワークＮＴ１に接続してＬＡＮ通信を行っており、ホームゲートウェイ４経由でコントローラ１にアクセスして、各設備端末３の監視制御情報を取得しているが、送受信部２ａは、赤外線通信でコントローラ１と通信を行うものや、電波通信でコントローラ１と通信を行うものも用意されている。しかし、赤外線通信や電波通信では、通信可能なデータ容量がＬＡＮ通信に比べて少なく、表示器２が取得する監視制御情報もそのデータ容量が抑制されてしまう。なお、表示器２が赤外線通信や電波通信を用いる場合、表示器２は、図示しないアダプタ経由で宅内ネットワークＮＴ１に接続する。
【００７８】
そこで、本実施形態の操作部２ｂは、画面構成情報として通信形態情報（ＬＡＮ、赤外線、電波無線）を入力する機能を有しており、設定部２ｆは、表示画面２ｃの解像度情報と、送受信部２ａの通信形態情報とを画面構成情報として設定する。
【００７９】
また、本実施形態のフレーム記憶部２ｄは、サイズの異なる複数の同一フレーム画面Ｇ１のデータを記憶しており、さらに同一サイズであってもスロット部の数が異なる複数の同一フレーム画面Ｇ１が用意されている。すなわち、スロット部の数が異なる複数の同一フレーム画面Ｇ１のデータをサイズ毎に記憶しているのである。
【００８０】
そして、本実施形態の表示器２の対応関係記憶部２ｇは、図１０に示す対応テーブルＴＢ５を格納しており、対応テーブルＴＢ５には、画面構成情報の大分類として表示画面２ｃの解像度情報を設定し、さらに解像度情報毎に送受信部２ａの通信形態情報を画面構成情報の小分類として設定している。通信形態情報は、送受信部２ａの通信形態の情報であり、本実施形態では、ＬＡＮ、赤外線、電波無線を小分類として設定している。
【００８１】
そして、画面構成情報の小分類である各通信形態情報に、フレーム画面Ｇ１のサイズ、フレーム画面Ｇ１内のスロット数、コンテンツ画面Ｇ２のサイズを対応させている。
【００８２】
具体的には、同一のフレーム画面Ｇ１を用いる場合であっても、通信時のデータ容量が最も少ない赤外線  →  データ容量が中程度の電波無線  →  データ容量が最も大きいＬＡＮ通信の順で、スロット数を  少ない  →  多い  に変更し、コンテンツ画面Ｇ２のサイズを  大  →  小  に変更することで、赤外線通信のようにデータ容量が少なく、大量のデータを一度に取得できない場合には、スロット数の少ない表示形式でウェブページを作成し、ＬＡＮ通信のようにデータ容量が大きい場合には、スロット数の多い表示形式でウェブページを作成できる。
【００８３】
そして、サイズ選択部２ｈは、設定部２ｆが設定した解像度情報および通信形態情報に対応するフレーム画面Ｇ１のサイズ、フレーム画面Ｇ１内のスロット数、コンテンツ画面Ｇ２のサイズを選択する。
【００８４】
表示制御部２ｉは、選択されたサイズで選択されたスロット数を有するフレーム画面Ｇ１をフレーム記憶部２ｄから読み出し、さらに選択されたサイズのコンテンツ画面Ｇ２をコンテンツ記憶部２ｅから読み出し、読み出したフレーム画面Ｇ１のスロット部Ｘ１にコンテンツ画面Ｇ２を重ね合わせて、１つのウェブページを作成し、当該作成したウェブページをウェブブラウザによって表示画面２ｃに表示する。
【００８５】
このように本実施形態では、フレーム画面Ｇ１とコンテンツ画面Ｇ２とを分割し、表示画面２ｃの解像度、および送受信部２ａの通信形態情報に応じて、フレーム画面Ｇ１およびコンテンツ画面Ｇ２の各サイズや、スロット数を個別に動的に変化させて、フレーム画面Ｇ１とコンテンツ画面Ｇ２とを組み合わせるので、画面データの汎用性が高くなり、開発工数を最小限に抑えることができる。
【００８６】
また、表示器２の送受信部２ａが自己の通信形態情報を予め保持し、設定部２ｆが、送受信部２ａから通信形態情報を取得してもよい。この場合、ユーザが通信形態情報を手動設定する手間が省けて、ユーザにとって使い勝手がよいものとなる。
【００８７】
（実施形態６）
本実施形態の表示システムの構成は、実施形態１と同様に図１，図２に示されるが、画面構成情報として、表示器２の表示画面２ｃの解像度に付加してウェブページ（特にコンテンツ画面Ｇ２）内で表示される言語に関する情報（言語情報）を用いる点が実施形態１と異なる。
【００８８】
ウェブページで用いる言語には、英語、日本語、中国語等があるが、各言語によって、同じ内容を表す場合でも文字数が異なるため、使用する言語によって画面のデザインを変更することがあった。英語、日本語、中国語の場合、一般に、英語が最も文字数を必要とし、次いで日本語が文字数を必要とし、中国語が最も文字数を必要としないと考えられる。
【００８９】
そこで、本実施形態の操作部２ｂは、画面構成情報として言語情報（英語、日本語、中国語）を入力する機能を有しており、設定部２ｆは、表示画面２ｃの解像度情報と、ウェブページ内の言語情報とを画面構成情報として設定する。
【００９０】
本実施形態の表示器２の対応関係記憶部２ｇは、図１１に示す対応テーブルＴＢ６を格納しており、対応テーブルＴＢ６には、画面構成情報の大分類として表示画面２ｃの解像度情報を設定し、さらに解像度情報毎に言語情報を画面構成情報の小分類として設定している。
【００９１】
また、本実施形態のフレーム記憶部２ｄは、サイズの異なる複数の同一フレーム画面Ｇ１のデータを記憶しており、さらに同一サイズであってもスロット部の数が異なる複数の同一フレーム画面Ｇ１が用意されている。すなわち、スロット部の数が異なる複数の同一フレーム画面Ｇ１のデータをサイズ毎に記憶しているのである。さらに、コンテンツ記憶部２ｅは、英語、日本語、中国語のうち、いずれかの言語を表示するコンテンツ画面Ｇ２を記憶している。
【００９２】
そして、画面構成情報の小分類である各言語情報に、フレーム画面Ｇ１のサイズ、フレーム画面Ｇ１内のスロット数、コンテンツ画面Ｇ２のサイズを対応させている。
【００９３】
具体的には、同一のフレーム画面Ｇ１を用いる場合であっても、最も文字数を必要とする英語  →  必要とする文字数が中程度の日本語  →  最も文字数を必要としない中国語の順で、スロット数を  少ない  →  多い  に変更し、コンテンツ画面Ｇ２のサイズを  大  →  小  に変更することで、最も文字数を必要とする英語の場合にはスロット数の少ない表示形式でウェブページを作成し、最も文字数を必要としない中国語の場合には、スロット数の多い表示形式でウェブページを作成できる。
【００９４】
そして、サイズ選択部２ｈは、設定部２ｆが設定した解像度情報および言語情報に対応するフレーム画面Ｇ１のサイズ、フレーム画面Ｇ１内のスロット数、コンテンツ画面Ｇ２のサイズを選択する。
【００９５】
表示制御部２ｉは、選択されたサイズで選択されたスロット数を有するフレーム画面Ｇ１をフレーム記憶部２ｄから読み出し、さらに選択されたサイズのコンテンツ画面Ｇ２をコンテンツ記憶部２ｅから読み出し、読み出したフレーム画面Ｇ１のスロット部Ｘ１にコンテンツ画面Ｇ２を重ね合わせて、１つのウェブページを作成し、当該作成したウェブページをウェブブラウザによって表示画面２ｃに表示する。
【００９６】
本実施形態では、フレーム画面Ｇ１とコンテンツ画面Ｇ２とを分割し、表示画面２ｃの解像度、およびウェブページ内の言語情報に応じて、フレーム画面Ｇ１およびコンテンツ画面Ｇ２の各サイズや、スロット数を個別に動的に変化させて、フレーム画面Ｇ１とコンテンツ画面Ｇ２とを組み合わせるので、画面データの汎用性が高くなり、開発工数を最小限に抑えることができる。
【００９７】
また、表示器２の表示制御部２ｉがウェブページ内で用いる言語情報を予め保持し、設定部２ｆが、表示制御部２ｉから言語情報を取得してもよい。この場合、ユーザが言語情報を手動設定する手間が省けて、ユーザにとって使い勝手がよいものとなる。
【００９８】
（実施形態７）
実施形態１乃至６では、送受信部２ａ、操作部２ｂ、表示画面２ｃ、フレーム記憶部２ｄ、コンテンツ記憶部２ｅ、設定部２ｆ、対応関係記憶部２ｇ、サイズ選択部２ｈ、表示制御部２ｉを全て表示器２に設けており、コントローラ１やホームゲートウェイ４等の宅内ネットワークＮＴ１上の端末に上記各部を備えるためのハードウェアスペックがない場合や、表示器２が設備端末３と情報授受を直接行う場合でも、表示器２単体でウェブページを作成することができる。
【００９９】
一方、本実施形態では、上記各部を宅内ネットワークＮＴ１上の端末に分散させて表示システムを構成しており、図１２にその一例を示す。まず、コントローラ１は、送受信部１ａ、監視制御部１ｂ以外に、フレーム記憶部２ｄ、コンテンツ記憶部２ｅ、設定部２ｆ、対応関係記憶部２ｇ、サイズ選択部２ｈ、表示制御部２ｉを備え、表示器２は、送受信部２ａ、操作部２ｂ、表示画面２ｃのみを備え、宅内ネットワークＮＴ１に構成された表示システムとして、図４に示すウェブページの作成処理を実施形態１と同様に行う。
【０１００】
まず、コントローラ１が、表示器２からネットワークＮＴ１を介して監視制御要求を受け取ると、コントローラ１の設定部２ｆは、要求送信元の表示器２から解像度情報をホームゲートウェイ４経由で取得し、取得した解像度情報を画面構成情報として設定する（Ｓ１）。この解像度情報の取得は、表示器２に搭載されているウェブブラウザに関する情報（ユーザエージェント情報）を用いており、ユーザエージェント情報には、ブラウザ種別（ＱＶＧＡ、ＶＧＡ等の解像度情報）、ブラウザＯＳ、ブラウザＯＳのバージョン等の情報が含まれた文字列情報であり、表示器２のウェブブラウザから自発的に送信されるのが一般的であるが、コントローラ１から、ユーザエージェント情報の取得要求を送信することで、表示器２からユーザエージェント情報を取得することもできる。
【０１０１】
コントローラ１の対応関係記憶部２ｇは、画面構成情報である解像度情報とフレーム画面Ｇ１のサイズ、フレーム画面Ｇ１内のスロット数、コンテンツ画面Ｇ２のサイズとの対応関係を対応テーブルＴＢ１に格納している。コントローラ１のサイズ選択部２ｈは、設定部２ｆが設定した解像度情報に対応するフレーム画面Ｇ１のサイズ、フレーム画面Ｇ１内のスロット数、コンテンツ画面Ｇ２のサイズを選択する（Ｓ２）（Ｓ３）。ここでは、解像度：ＱＶＧＡとし、フレーム画面Ｇ１のサイズ：Ｂ、フレーム画面Ｇ１内のスロット数：３、コンテンツ画面Ｇ２のサイズ：ｂを選択する。
【０１０２】
コントローラ１の表示制御部２ｉは、選択されたサイズで選択されたスロット数を有するフレーム画面Ｇ１をフレーム記憶部２ｄから読み出し、さらに選択されたサイズのコンテンツ画面Ｇ２をコンテンツ記憶部２ｅから読み出し、読み出したフレーム画面Ｇ１のスロット部Ｘ１にコンテンツ画面Ｇ２を重ね合わせて（Ｓ４）、１つのウェブページを作成し、当該作成したウェブページのデータを、要求送信元の表示器２へ送信する。ウェブページのデータを受信した表示器２は、ウェブブラウザによってウェブページを表示画面２ｃに表示する（Ｓ５）。
【０１０３】
また、実施形態２乃至６と同様の画面構成情報を用いたウェブページの作成処理も、各部が宅内ネットワークＮＴ１上での通信を行うことで同様に実現できる。
【図面の簡単な説明】
【０１０４】
【図１】実施形態１の表示システムのブロック構成を示す図である。
【図２】同上の表示システム全体構成を示す図である。
【図３】（ａ）フレーム画面を示し、（ｂ）コンテンツ画面を示す図である。
【図４】同上のウェブページの作成処理の概略を示す図である。
【図５】同上の対応テーブルの構造を示す図である。
【図６】実施形態２の対応テーブルの構造を示す図である。
【図７】実施形態３の対応テーブルの構造を示す図である。
【図８】従来のページ遷移を示す図である。
【図９】実施形態４の対応テーブルの構造を示す図である。
【図１０】実施形態５の対応テーブルの構造を示す図である。
【図１１】実施形態６の対応テーブルの構造を示す図である。
【図１２】実施形態７の表示システムのブロック構成を示す図である。
【図１３】（ａ）（ｂ）従来のウェブページを示す図である。
【符号の説明】
【０１０５】
１  コントローラ
２  表示器
２ａ  送受信部
２ｂ  操作部
２ｃ  表示画面
２ｄ  フレーム記憶部
２ｅ  コンテンツ記憶部
２ｆ  設定部
２ｇ  対応関係記憶部
２ｈ  サイズ選択部
２ｉ  表示制御部
３  設備端末
４  ホームゲートウェイ
ＮＴ１  宅内ネットワーク
ＮＴ２  広域網
【図１】
2010097496.tif 000003
【図２】
2010097496.tif 000004
【図３】
2010097496.tif 000005
【図４】
2010097496.tif 000006
【図５】
2010097496.tif 000007
【図６】
2010097496.tif 000008
【図７】
2010097496.tif 000009
【図８】
2010097496.tif 000010
【図９】
2010097496.tif 000011
【図１０】
2010097496.tif 000012
【図１１】
2010097496.tif 000013
【図１２】
2010097496.tif 000014
【図１３】
2010097496.tif 000015